(57)【要約】【課題】本発明は、記録媒体の使用効率を格段と向上し、編集処理の作業効率を向上し得る編集装置及び編集方法を実現しようとするものである。【解決手段】フレーム画像データを圧縮することによって生成した高圧縮フレーム画像データに付加されたタイムコードによって編集点の指定を行い、同一のタイムコードによってフレーム画像データを読出し編集処理を行うようにした。【選択図】図１
2008252940.tif 000002
【特許請求の範囲】
【請求項１】
フレーム画像データを所定の圧縮率で圧縮することによって当該フレーム画像データよりも高圧縮率で圧縮された高圧縮フレーム画像データを生成する高圧縮フレーム画像データ生成手段と、
上記フレーム画像データと上記高圧縮フレーム画像データとを同期させて、当該フレーム画像データと当該高圧縮フレーム画像データとに対しそれぞれ同一のタイムコードを順次付加するタイムコード付加手段と
上記フレーム画像データと上記高圧縮フレーム画像データとを上記タイムコードと共に記憶媒体に記憶する記憶手段と、
上記記憶媒体から複数の上記高圧縮フレーム画像データを読み出して表示する表示手段と、
複数の上記高圧縮画像データのいずれかに対して編集開始点が指定されたときの当該高圧縮画像データの上記タイムコードを開始点タイムコードとして上記記憶媒体から読み出す開始点タイムコード読出手段と、
複数の上記高圧縮画像データのいずれかに対して編集終了点が指定されたときの当該高圧縮画像データの上記タイムコードを終了点タイムコードとして上記記憶媒体から読み出す終了点タイムコード読出手段と、
上記開始点タイムコードに対応した上記フレーム画像データを開始点フレーム画像データとして上記記憶媒体から読出し、上記終了点タイムコードに対応した上記フレーム画像データを終了点フレーム画像データとして上記記憶媒体から読出し、上記開始点フレーム画像データ及び上記終了点フレーム画像データを用いて編集処理を行う編集手段と
を具える編集装置。
【請求項２】
上記記憶手段は、
上記編集手段によって編集処理されたときに用いられた上記開始点タイムコード及び上記終了点タイムコードを編集処理タイムコードとして新たに付加して上記記憶媒体に記憶する
請求項１に記載の編集装置。
【請求項３】
上記編集処理タイムコードを、上記編集処理された後の上記フレーム画像データが当該編集処理される前の上記フレーム画像データと同じ場合、上記編集処理された後の上記フレーム画像データが当該編集処理される前の上記フレーム画像データと異なる場合、上記編集処理された後の上記フレーム画像データが当該編集処理される前の上記フレーム画像データに対して不要となる場合とにおいて分類し、新たな編集処理分類タイムコードとして上記記憶媒体に記憶する
請求項２に記載の編集装置。
【請求項４】
フレーム画像データを所定の圧縮率で圧縮することによって当該フレーム画像データよりも高圧縮率で圧縮された高圧縮フレーム画像データを生成する高圧縮フレーム画像データ生成ステップと、
上記フレーム画像データと上記高圧縮フレーム画像データとを同期させて、当該フレーム画像データと当該高圧縮フレーム画像データとに対しそれぞれ同一のタイムコードを順次付加するタイムコード付加ステップと、
上記フレーム画像データと上記高圧縮フレーム画像データとを上記タイムコードと共に記憶媒体に記憶する記憶ステップと、
上記記憶媒体から複数の上記高圧縮フレーム画像データを読み出して表示手段に表示する表示ステップと、
複数の上記高圧縮画像データのいずれかに対して編集開始点が指定されたときの当該高圧縮画像データの上記タイムコードを開始点タイムコードとして上記記憶媒体から読み出す開始点タイムコード読出ステップと、
複数の上記高圧縮画像データのいずれかに対して編集終了点が指定されたときの当該高圧縮画像データの上記タイムコードを終了点タイムコードとして上記記憶媒体から読み出す終了点タイムコード読出ステップと、
上記開始点タイムコードに対応した上記フレーム画像データを開始点フレーム画像データとして上記記憶媒体から読出し、上記終了点タイムコードに対応した上記フレーム画像データを終了点フレーム画像データとして上記記憶媒体から読出し、上記開始点フレーム画像データ及び上記終了点フレーム画像データを用いて編集処理を行う編集ステップと
を具える編集方法。
【発明の詳細な説明】
【技術分野】
【０００１】
本発明は編集装置及び編集方法に関し、例えばビデオカメラの撮像結果として得られる映像音声データをパーソナルコンピュータを用いて編集する編集システムに適用して好適なものである。
【背景技術】
【０００２】
従来、この種の編集システムでは、ビデオカメラの撮像結果として得られる映像音声データを、パーソナルコンピュータ内のハードディスクに全て記録しておき、必要に応じて当該ハードディスクに記録された映像音声データのうちユーザが所望する映像音声部分を所望の順番で繋ぎ合わせるようにしてノンリニア編集を行うようになされている。
【発明の開示】
【発明が解決しようとする課題】
【０００３】
ところで、このパーソナルコンピュータにおいて、一般的に10分間の映像音声データを記録するために要求されるハードディスクの記憶容量は約２ギガバイドであり、このためビデオカメラから得られる映像音声データを全て記録するには、より一層大容量のハードディスクを内蔵することが要求される。
【０００４】
また、このパーソナルコンピュータにおいて、ビデオカメラから得られる映像音声データをハードディスクに全て記録するには非常に時間がかかり、このようなバックアップに要する時間の長さに比例してノンリニア編集に要する時間も長くなるため、実用上十分でないという問題があった。
【０００５】
実際にユーザかビデオカメラから得られる映像音声データのうち、編集時に必要とする映像音声部分のみをハードディスクに格納させれば良いのであるが、編集時に必要とされない映像音声部分までも全てハードディスクに格納させるため、その分だけ編集前の待ち時間が長くなるという問題があった。
【０００６】
本発明は以上の点を考慮してなされたもので、記録媒体の使用効率を格段と向上し得る編集装置及び編集方法を提案しようとするものである。
【課題を解決するための手段】
【０００７】
かかる課題を解決するため本発明においては、フレーム画像データを所定の圧縮率で圧縮することによって当該フレーム画像データよりも高圧縮率で圧縮された高圧縮フレーム画像データを生成する高圧縮フレーム画像データ生成手段と、フレーム画像データと高圧縮フレーム画像データとを同期させて、当該フレーム画像データと当該高圧縮フレーム画像データとに対しそれぞれ同一のタイムコードを順次付加するタイムコード付加手段と、フレーム画像データと高圧縮フレーム画像データとをタイムコードと共に記憶媒体に記憶する記憶手段と、記憶媒体から複数の高圧縮フレーム画像データを読み出して表示する表示手段と、複数の高圧縮画像データのいずれかに対して編集開始点が指定されたときの当該高圧縮画像データのタイムコードを開始点タイムコードとして記憶媒体から読み出す開始点タイムコード読出手段と、複数の高圧縮画像データのいずれかに対して編集終了点が指定されたときの当該高圧縮画像データのタイムコードを終了点タイムコードとして記憶媒体から読み出す終了点タイムコード読出手段と、開始点タイムコードに対応したフレーム画像データを開始点フレーム画像データとして記憶媒体から読出し、終了点タイムコードに対応したフレーム画像データを終了点フレーム画像データとして記憶媒体から読出し、開始点フレーム画像データ及び終了点フレーム画像データを用いて編集処理を行う編集手段とを設けるようにした。
【０００８】
この結果この編集装置では、高圧縮フレーム画像データに付加されたタイムコードによって編集点の指定を行い、同一のタイムコードを用いてフレーム画像データを読み出すことによって編集処理を行うことができるため、記録媒体から読み出すフレーム画像データのデータ容量を大幅に低減できると共に、編集処理の作業効率を格段に向上できる。
【０００９】
さらに本発明において、フレーム画像データを所定の圧縮率で圧縮することによって当該フレーム画像データよりも高圧縮率で圧縮された高圧縮フレーム画像データを生成する高圧縮フレーム画像データ生成ステップと、フレーム画像データと高圧縮フレーム画像データとを同期させて、当該フレーム画像データと当該高圧縮フレーム画像データとに対しそれぞれ同一のタイムコードを順次付加するタイムコード付加ステップと、フレーム画像データと高圧縮フレーム画像データとをタイムコードと共に記憶媒体に記憶する記憶ステップと、記憶媒体から複数の高圧縮フレーム画像データを読み出して表示手段に表示する表示ステップと、複数の高圧縮画像データのいずれかに対して編集開始点が指定されたときの当該高圧縮画像データのタイムコードを開始点タイムコードとして記憶媒体から読み出す開始点タイムコード読出ステップと、複数の高圧縮画像データのいずれかに対して編集終了点が指定されたときの当該高圧縮画像データのタイムコードを終了点タイムコードとして記憶媒体から読み出す終了点タイムコード読出ステップと、開始点タイムコードに対応したフレーム画像データを開始点フレーム画像データとして記憶媒体から読出し、終了点タイムコードに対応したフレーム画像データを終了点フレーム画像データとして記憶媒体から読出し、開始点フレーム画像データ及び終了点フレーム画像データを用いて編集処理を行う編集ステップとを設けるようにした。
【００１０】
この結果この編集方法では、高圧縮フレーム画像データに付加されたタイムコードによって編集点の指定を行い、同一のタイムコードを用いてフレーム画像データを読み出すことによって編集処理を行うことができるため、記録媒体から読み出すフレーム画像データのデータ容量を大幅に低減できると共に、編集処理の作業効率を格段に向上できる。
【発明の効果】
【００１１】
上述のように本発明によれば、編集装置において、フレーム画像データと高圧縮フレーム画像データとを同期させて、当該フレーム画像データと当該高圧縮フレーム画像データとに対しそれぞれ同一のタイムコードを順次付加するタイムコード付加手段と、フレーム画像データと高圧縮フレーム画像データとをタイムコードと共に記憶媒体に記憶する記憶手段と、記憶媒体から複数の高圧縮フレーム画像データを読み出して表示する表示手段と、複数の高圧縮画像データのいずれかに対して編集開始点が指定されたときの当該高圧縮画像データのタイムコードを開始点タイムコードとして記憶媒体から読み出す開始点タイムコード読出手段と、複数の高圧縮画像データのいずれかに対して編集終了点が指定されたときの当該高圧縮画像データのタイムコードを終了点タイムコードとして記憶媒体から読み出す終了点タイムコード読出手段と、開始点タイムコードに対応したフレーム画像データを開始点フレーム画像データとして記憶媒体から読出し、終了点タイムコードに対応したフレーム画像データを終了点フレーム画像データとして記憶媒体から読出し、開始点フレーム画像データ及び終了点フレーム画像データを用いて編集処理を行う編集手段とを設けたことにより、高圧縮フレーム画像データに付加されたタイムコードによって編集点の指定を行い、同一のタイムコードを用いて編集処理を行うフレーム画像データを読み出して編集処理を行うことができるため、記録媒体から読み出すフレーム画像データのデータ容量を大幅に低減できると共に、編集処理の作業効率を格段に向上でき、かくして編集処理の作業効率を格段に向上し得る編集装置を実現できる。
【００１２】
また本発明によれば、編集方法において、フレーム画像データと高圧縮フレーム画像データとを同期させて、当該フレーム画像データと当該高圧縮フレーム画像データとに対しそれぞれ同一のタイムコードを順次付加するタイムコード付加ステップと、フレーム画像データと高圧縮フレーム画像データとをタイムコードと共に記憶媒体に記憶する記憶ステップと、記憶媒体から複数の高圧縮フレーム画像データを読み出して表示手段に表示する表示ステップと、複数の高圧縮画像データのいずれかに対して編集開始点が指定されたときの当該高圧縮画像データのタイムコードを開始点タイムコードとして記憶媒体から読み出す開始点タイムコード読出ステップと、複数の高圧縮画像データのいずれかに対して編集終了点が指定されたときの当該高圧縮画像データのタイムコードを終了点タイムコードとして記憶媒体から読み出す終了点タイムコード読出ステップと、開始点タイムコードに対応したフレーム画像データを開始点フレーム画像データとして記憶媒体から読出し、終了点タイムコードに対応したフレーム画像データを終了点フレーム画像データとして記憶媒体から読出し、開始点フレーム画像データ及び終了点フレーム画像データを用いて編集処理を行う編集ステップとを設けることにより、高圧縮フレーム画像データに付加されたタイムコードによって編集点の指定を行い、同一のタイムコードを用いて編集処理を行うフレーム画像データを読み出して編集処理を行うことができるため、記録媒体から読み出すフレーム画像データのデータ容量を大幅に低減できると共に、編集処理の作業効率を格段に向上でき、かくして編集処理の作業効率を格段に向上し得る編集方法を実現できる。
【発明を実施するための最良の形態】
【００１３】
以下図面について、本発明の一実施の形態を詳述する。
【００１４】
（１）ビデオカメラシステムの構成
図１において、１は全体として本発明を適用したビデオカメラシステムを示し、ビデオカメラ２及びパーソナルコンピュータ３間がケーブル４を介して互いに接続され、パーソナルコンピュータ３の制御に応じて、ビデオカメラ２の撮像結果でなる一連の映像音声をパーソナルコンピュータ３に供給し得るようになされている。
【００１５】
このビデオカメラ２では、記録時、投影レンズ１０を介して入射した撮像光Ｌ１をＣＣＤ（Charge Coupled Divice ：電荷結合素子）１１の撮像面において光電変換することにより撮像信号Ｓ１を得、これをＣＤＳ（Correlated Double Sampling：相関２重サンプリング回路）及びＡＧＣ（Auto Gain Control ：自動利得制御回路）部１２に送出する。
【００１６】
ＣＤＳ及びＡＧＣ部１２は、撮像信号Ｓ１にリセット雑音が発生する期間においてその信号レベルを所定電位でクランプすることによって雑音成分を低減すると共に、当該撮像信号Ｓ１の振幅を自動的に調整して出力を所定値に制御することによってコントラストの変動を防止する。このようにして得られた撮像信号Ｓ２は続くアナログ／ディジタル変換（Ａ／Ｄ）部１３に送出され、ディジタル撮像信号Ｓ３に変換された後、信号処理部１４に送出される。
【００１７】
信号処理部１４は、ＣＰＵ１５の制御に応じて、ディジタル撮像信号Ｓ３に対してＹ／Ｃ分離、ガンマ補正及びホワイトバランス調整処理等を施した後、これをマトリクス処理によってビデオ信号Ｓ４に変換し、これを第１のスイッチ１６を介して選択的に第１又は第２のフレームメモリ１７、１８に送出する。
【００１８】
これら第１及び第２のフレームメモリ１７、１８の前後には、２個の入出力端を有する一対の第１及び第２のスイッチ１６、１９が設けられ、ＣＰＵ１５から送出される切換信号ＳＳＷ１、ＳＳＷ２に基づいて、第１及び第２のスイッチ１６、１９は互いに異なる位置の入出力端と接続するように連動して切り換えられる。
【００１９】
ＣＰＵ１５は、ビデオ信号Ｓ４をフレーム単位で一方の第１又は第２のフレームメモリ１７、１８に書き込むと同時に他方の第２又は第１のフレームメモリ１８、１７から読み出す動作を交互に繰り返しながら、第２又は第１のフレームメモリ１８、１７から読み出されたフレーム画像データＤ１を第２のスイッチ回路１９を介してデータ圧縮処理部２０に送出すると共に、バス２１を介してハードディスク装置２２に送出する。
【００２０】
データ圧縮処理部２０では、ＣＰＵ１５の制御に応じて、与えられたフレーム画像データＤ１にＭＰＥＧ（Motion Picture Experts Group）規格に基づく圧縮符号化処理を順次施すことにより画像情報が所定の圧縮率（すなわち第１の圧縮率）でデータ圧縮されたフレーム画像に変換し、これを圧縮フレーム画像データＤ２としてバス２１を介してハードディスク装置２２に送出する。
【００２１】
ハードディスク装置２２は、ＣＰＵ１５の制御に基づいて、供給されるフレーム画像データＤ１及び圧縮フレーム画像データＤ２をハードディスク２２Ａ（図２（Ａ））にそれぞれ記録する。このときハードディスク装置２２は、図２（Ｂ）に示すように、フレーム画像データＤ１（ＰＡ１、ＰＡ２、ＰＡ３、……）及び圧縮フレーム画像データＤ２（ＰＢ１、ＰＢ２、ＰＢ３、……）に同期してそれぞれハードディスク２２Ａ上のディスク位置情報を表す同一のタイムコードＴＣ（Ｔ１、Ｔ２、Ｔ３、……）をフレーム画像ごとに順次付加しながら、フレーム画像データＤ１及び圧縮フレーム画像データＤ２並びにタイムコードＴＣを同時に当該ハードディスク２２Ａに記録する。
【００２２】
この場合、ハードディスク２２Ａには、図２（Ｃ）に示すように、フレーム画像データＤ１及び圧縮フレーム画像データＤ２に基づく各フレーム画像ＰＡ１、ＰＢ１、ＰＡ２、ＰＢ２、ＰＡ３、ＰＢ３、……に順次アドレスＡＤ（Ｎ、Ｎ＋１、Ｎ＋２、Ｎ＋３、Ｎ＋４、Ｎ＋５、Ｎ＋６、……）が割り当てられており、ＣＰＵ１５は、ハードディスク装置２２を制御するときに順次アドレスＡＤを指定することによりハードディスク２２Ａからフレーム画像データＤ１及び圧縮フレーム画像データＤ２に基づく各フレーム画像を読み出すようになされている。
【００２３】
このビデオカメラ２において、再生時、ＣＰＵ１５は、ハードディスク装置２２内のハードディスク２２Ａから読み出したフレーム画像データＤ１及び又は圧縮フレーム画像データＤ２をバス２１を介して信号処理部２３に送出する。この信号処理部２３は、ＣＰＵ１５の制御に応じて、フレーム画像データＤ１及び又は圧縮フレーム画像データＤ２にノイズ低減処理及び周波数特性補正処理等を施した後、これらを所定方式（例えばＮＴＳＣ（National Television System Committee）方式等）のコンポジット信号Ｓ５に変換する。
【００２４】
続いて出力ドライバ２４は、信号処理部２３から得られたコンポジット信号Ｓ５をインピーダンス変換した後、ケーブル４を介してパーソナルコンピュータ３内のインタフェース回路３０に送出する。因みに信号処理部２３から得られたコンポジット信号Ｓ５は、必要に応じてバス２１及び通信部２５を介して外部接続された各種機器（図示せず）に送出される。
【００２５】
なおビデオカメラ２においては、操作部２６がバス２１を介してＣＰＵ１５と接続されており、これによりユーザが操作部を介してＣＰＵ１５に各種コマンドを与え得るようになされている。
【００２６】
このパーソナルコンピュータ３において、内部のインタフェース回路３０はバス３１を介してＣＰＵ３２と接続されており、当該ＣＰＵ３２にはユーザが操作部３３を用いて各種コマンドを与え得るようになされている。
【００２７】
パーソナルコンピュータ３において、ＣＰＵ３２は、操作部３３を介してユーザからコマンドが与えられると、ＲＡＭ３４に記憶されているワーキングプログラムを読み出すことにより動作処理を開始し、当該コマンドに応じた編集プログラムデータＤ３をＲＯＭ３５から読み出してバス３１を介してＣＰＵ３２に供給するようになされている。
【００２８】
ＣＰＵ３２は、編集プログラムデータＤ３を受けると、読出信号Ｓ６をバス３１及びインタフェース回路３０を順次介してビデオカメラ２内の出力ドライバ２４、信号処理部２３及びバス２１を経てビデオカメラ２内のＣＰＵ１５に送出する。
【００２９】
このビデオカメラ２内のＣＰＵ１５は、読出信号Ｓ６を受けると、ハードディスク装置２２を制御して、ハードディスク２２Ａから圧縮フレーム画像データＤ２を読み出した後、バス２１、信号処理部２３及び出力ドライバ２４を順次介してパーソナルコンピュータ３内のインタフェース回路３０に送出する。
【００３０】
これによりパーソナルコンピュータ３内のＣＰＵ３２は、ビデオカメラ２から得られた圧縮フレーム画像データＤ２を一旦全てハードディスク装置３６内のハードディスク３６Ａに記録するようにしてバックアップをとる。
【００３１】
続いてＣＰＵ３２は、ハードディスク装置３６内のハードディスク３６Ａから読み出した圧縮フレーム画像データＤ２を読み出した後、バス３１を介して表示部３７に送出する。
【００３２】
この表示部３７には、内部にデコード処理部（図示せず）が設けられ、ＣＰＵ３２の制御に応じて、圧縮フレーム画像データＤ２にＭＰＥＧ規格に基づく復号化処理を順次施すことにより画像情報が伸長されたフレーム画像に変換した後、当該フレーム画像群を表示画面上に表示するようになされている。
【００３３】
実際にこのパーソナルコンピュータ３においては、編集時、ユーザによる操作部３２の操作に応じて、ＣＰＵ３２は、ハードディスク装置３６内のハードディスク３６Ａに記録されている圧縮フレーム画像データＤ２に基づくフレーム画像を順次読み出した後、バスを介して表示部３７の表示画面上に順次表示する。
【００３４】
この表示部３７の表示画面に表示される一連のフレーム画像群の中から、ユーザが操作部３３を用いて各シーン内で所望の映像部分でなるフレーム画像群を指定するためのリスト（以下、これを編集リストと呼ぶ）が入力されると、当該編集リストに基づく各フレーム画像群のイン点及びアウト点を順次各シーンごとに指定すると、ＣＰＵ３２は、当該各シーンに応じた編集リストに基づく各フレーム画像群のイン点及びアウト点のフレーム画像に付加されたタイムコードを読み出す。
【００３５】
このパーソナルコンピュータ３内のＣＰＵ３２は、読出信号Ｓ７をバス３１及びインタフェース回路３０を順次介してビデオカメラ２内の出力ドライバ２４、信号処理部２３及びバス２１を経てビデオカメラ２内のＣＰＵ１５に送出する。
【００３６】
このビデオカメラ２内のＣＰＵ１５は、読出信号Ｓ７を受けると、ハードディスク装置２２を制御して、ハードディスク２２Ａからフレーム画像データＤ１を読み出した後、バス２１、信号処理部２３及び出力ドライバ２４を順次介してパーソナルコンピュータ３内のインタフェース回路３０に送出する。
【００３７】
従ってパーソナルコンピュータ３において、ＣＰＵ３２は、ビデオカメラ２内のハードディスク２２Ａから読み出されたフレーム画像データＤ１が供給されると、当該フレーム画像データＤ１に基づく一連のフレーム画像群の中から、上述した編集リストに基づく各フレーム画像群のイン点及びアウト点のフレーム画像に付加されたタイムコードと同一のタイムコードが付加されたフレーム画像群を順次抽出して、ハードディスク装置３６内のハードディスク３６Ａに記録する。
【００３８】
続いてＣＰＵ３２は、ハードディスク装置３６内のハードディスク３６Ａからフレーム画像データＤ１を読み出した後、バス３１を介して当該フレーム画像データＤ１に基づく各シーンごとのフレーム画像群を所望の順番で繋ぎ合わせるようにしてノンリニア編集を行うと共に、必要に応じて特殊効果処理部３８を制御することにより種々の特殊効果処理（フェードイン、フェードアウト、ディゾルブ、スーパー及びワイプ等）を施す。
【００３９】
この後ＣＰＵ３２は、ノンリニア編集された各シーンごとのフレーム画像群を編集画像データＤ４としてハードディスク装置３６内のハードディスク３６Ａに記録する。
【００４０】
（２）編集処理手順ＲＴ１
ここでパーソナルコンピュータ３内のＣＰＵ３２は、上述したノンリニア編集を図３に示す編集処理手順ＲＴ１に従って実行する。実際上、ＣＰＵ３２は、ユーザの操作によって編集モードが選択されると、ステップＳＰ０から当該編集処理手順ＲＴ１に入り、続くステップＳＰ１において、ビデオカメラ２から供給されるコンポジット信号Ｓ５に基づく圧縮フレーム画像データＤ２をハードディスク装置３６内のハードディスク３６Ａに一旦全て記録してバックアップをとっておく。
【００４１】
ここでユーザによって編集モードが指定されると、ＣＰＵは、ステップＳＰ２に進んで、ハードディスクから圧縮フレーム画像データＤ２に基づく一連のフレーム画像群のみを選択的に読み出して、データ伸長した後に表示部の表示画面上に表示する。
【００４２】
続いてステップＳＰ３において、ＣＰＵ３２は、図４（Ａ）に示すように、ユーザによって表示部３７の表示画面上に表示された一連のフレーム画像群（シーンＳＣ１〜ＳＣ５）の中から編集リストに基づく所望する映像部分Ｐ１〜Ｐ３（すなわちシーンＳＣ１、ＳＣ３、ＳＣ４内における所望範囲に相当する映像部分）のイン点ＩＮ１〜ＩＮ３及びアウト点ＯＵＴ１〜ＯＵＴ３が全て指定されたか否かを判断し、肯定結果が得られた場合のみ、当該指定された各映像部分Ｐ１〜Ｐ３のイン点ＩＮ１〜ＩＮ３及びアウト点ＯＵＴ１〜ＯＵＴ３に付加されたタイムコードを読み取った後、ステップＳＰ４に進む。
【００４３】
このステップＳＰ４において、ＣＰＵ３２は、ビデオカメラ２内のハードディスク２２Ａから読み出されたフレーム画像データＤ１に基づく一連のフレーム画像群の中から、図４（Ｂ）に示すように、編集リストに基づく各シーンＳＣ１〜ＳＣ５内の所望の映像部分Ｐ１〜Ｐ３のイン点及びアウト点に付加されたタイムコードと同一のタイムコードが付加されたフレーム画像群を順次抽出してハードディスク装置３６内のハードディスク３６Ａに記録する。
【００４４】
続いてステップＳＰ５に進んで、ＣＰＵ３２は、図４（Ｃ）に示すように、ハードディスク装置３６内のハードディスク３６Ａから読み出した各映像部分Ｐ１〜Ｐ３に応じたフレーム画像群を、ユーザの操作に応じて所望の順番に繋ぎ合わせると共に所望の特殊効果処理（例えば映像部分Ｐ１内におけるテロップ表示Ｗ１、及び映像部分Ｐ２内のフェードアウトＷ２）を施してノンリニア編集を実行した後、ステップＳＰ６に進んで当該編集処理手順ＲＴ１を終了する。
【００４５】
（３）本実施の形態による動作及び効果
以上の構成において、ビデオカメラシステム１では、ビデオカメラ２による撮像結果としてのビデオ信号Ｓ４を互いにデータ圧縮率が異なるフレーム画像データＤ１及び当該ビデオ信号Ｓ４に変換すると共に同一のタイムコードを付した後、それぞれハードディスク２２Ａに記録しておく。
【００４６】
続いてパーソナルコンピュータ３では、ビデオカメラ２内のハードディスク２２Ａから読み出された圧縮フレーム画像データＤ２を一旦全てハードディスク３６Ａに記録しておき、編集時に、当該ハードディスク３６Ａから圧縮フレーム画像データＤ２に基づく一連のフレーム画像群のみを選択的に読み出して、データ伸長した後に表示部３７の表示画面上に表示する。
【００４７】
この状態においてユーザは、表示部３７の表示画面上を目視確認しながら、一連のフレーム画像群として表示される各シーン内の所望の映像部分のイン点及びアウト点を編集リストとして順次指定することにより、当該指定された各映像部分のイン点及びアウト点に付加されたタイムコードと同一のタイムコードが付加されたフレーム画像群を、ビデオカメラ２内のハードディスク２２Ａから読み出されたフレーム画像データＤ１に基づく一連のフレーム画像群の中から順次抽出してパーソナルコンピュータ３内のハードディスク３６Ａに記録する。
【００４８】
続いてハードディスク３６Ａから読み出された各シーンＳＣ１〜ＳＣ５内の所望の映像部分に応じたフレーム画像データＤ１に基づくフレーム画像群をユーザが所望する順番で繋ぎ合わせるようにしてノンリニア編集を実行する。
【００４９】
このようにパーソナルコンピュータ３において、ユーザが表示部３７の表示画面上を目視確認しながら、編集リストに基づく各シーン内の所望の映像部分に応じたフレーム画像群を検索する際に、ビデオカメラ２の撮像結果として圧縮フレーム画像データＤ２をハードディスク３６Ａに記録しておくようにしたことにより、フレーム画像データＤ１を記録しておく場合よりも、データ圧縮された分だけデータ量が少ないため、当該ハードディスクの記録容量を減らすことができる。
【００５０】
さらにパーソナルコンピュータ３では、ユーザが編集リストに基づく各シーン内の所望の映像部分に応じたフレーム画像群を、ビデオカメラ２から供給されるフレーム画像データＤ１に基づく一連のフレーム画像群の中から抽出してハードディスク３６Ａに記録するようにしたことにより、ビデオカメラ２の撮像結果を全て記録する場合よりも短時間でハードディスク３６Ａに記録することができると同時にハードディスク３６Ａの記録領域をユーザが必要とする最小限に抑えることができ、さらには圧縮フレーム画像データＤ２に基づく圧縮フレーム画像よりもデータ圧縮されていない分だけ高い画質のフレーム画像を得ることができ、かくしてハードディスク３６Ａの記録領域を格段と効率良く使用し得ると共に高画質の映像を得ることができる。
【００５１】
以上の構成によれば、このビデオカメラシステム１では、ビデオカメラ２において、撮像結果として得られるビデオ信号Ｓ４を互いにデータ圧縮率が異なるフレーム画像データＤ１及び圧縮フレーム画像データＤ２に変換すると共に同一のタイムコードを付してハードディスク２２Ａに記録しておき、編集時にユーザが編集リストに基づく各シーン内の所望の映像部分を指定するための表示用の一連のフレーム画像を比較的データ圧縮率の高い圧縮フレーム画像データＤ２から得ると共に、実際に編集後にハードディスク３６Ａに記録しておくバックアップ用のフレーム画像群を比較的データ圧縮率の低いフレーム画像データＤ１から得るようにしたことにより、パーソナルコンピュータ３内のハードディスク３６Ａに記録する一連のフレーム画像群を全てフレーム画像データＤ１から得る場合よりも、ハードディスク３６Ａの使用効率を格段と向上することができる。
【００５２】
（４）他の実施の形態
なお上述の実施の形態においては、記録手段（又は第１の記録手段）としてのデータ圧縮処理部２０及びハードディスク装置２２を用いて、ビデオカメラ２の撮像結果でなるビデオ信号（映像データ）Ｓ４を第１の圧縮率でデータ圧縮して圧縮フレーム画像データ（第１の圧縮映像データ）Ｄ２に生成する一方、当該ビデオ信号Ｓ４を非圧縮のままフレーム画像データ（第２の圧縮映像データ）Ｄ１とするようにした場合について述べたが、本発明はこれに限らず、ビデオ信号Ｓ４を第１の圧縮率でデータ圧縮された圧縮フレーム画像データ（第１の圧縮映像データ）Ｄ２よりも低い第２の圧縮率でデータ圧縮して第２の圧縮映像データを生成するようにしても良い。
【００５３】
この場合、ビデオカメラ２内において、第２の圧縮映像データを生成するデータ圧縮処理部（図示せず）をバス２１に接続して新たに設けるようにしても良く、またデータ圧縮処理部２０において第１及び第２の圧縮率でそれぞれビデオ信号（映像データ）Ｓ４をデータ圧縮して第１及び第２の圧縮映像データを生成するようにしても良い。
【００５４】
さらにこの場合、記録手段（又は第１の記録手段）におけるデータ圧縮方法としては、ＭＰＥＧ規格に基づく圧縮符号化処理を施すようにした場合について述べたが、本発明はこれに限らず、画質をほとんど低減させずにデータ量を落とすことができれば、ビット数の間引き（例えば８ビットのところを６ビットで書く）による圧縮処理、インタレース（飛び越し走査）方式によるフィールド単位ごと（偶数フィールド、奇数フィールド）の圧縮処理、インタリーブ方式（細切れになった情報を振り分ける際にその順序を意図的に変えて振り分ける方式）による圧縮処理、フレーム間の相関を用いた圧縮処理、動き補償方式による圧縮処理、Ｙ／Ｃ信号による記録に基づく圧縮処理等の種々の圧縮処理方法を広く適用するようにしても良い。
【００５５】
さらに上述の実施の形態においては、ビデオカメラ２の撮像結果でなるビデオ信号（映像データ）Ｓ４に基づく一連のフレーム画像群をフレーム単位で第１又は第２のフレームメモリ１７、１８に交互に書き込むようにした場合について述べたが、本発明はこれに限らず、例えば図５（Ａ）及び（Ｂ）に示すように、ビデオカメラ２の撮像結果でなるビデオ信号（映像データ）Ｓ４に基づく一連のフレーム画像群Ｆ１、Ｆ２、Ｆ３、……を、１フレーム画像につき２回（すなわち偶数フィールド画像又は奇数フィールド画像につき１回）のデータ圧縮処理を行って時間軸方向に多重化するようにしても良い。
【００５６】
要は、フレーム画像データ（映像データ）Ｄ１及び圧縮フレーム画像データ（第１の圧縮映像データ）Ｄ２、又は圧縮フレーム画像データ（第１の圧縮映像データ）Ｄ２及び第２の圧縮映像データを、共に同一のタイムコード（第１のタイムコード）を付加してハードディスク（記録媒体又は第１の記録媒体）２２Ａに記録することができれば、ビデオカメラ２の撮像結果でなるビデオ信号（映像データ）Ｓ４を種々の単位でデータ圧縮するようにしても良い。
【００５７】
さらに上述の実施の形態においては、第１の記録手段を構成するハードディスク装置２２及びデータ圧縮処理部２０は、ＣＰＵ１５の制御のもとで、互いにデータ圧縮率が異なるフレーム画像データ（映像データ）Ｄ１及び圧縮フレーム画像データ（第１の圧縮映像データ）Ｄ２を共に同一のタイムコード（第１のタイムコード）を付加してハードディスク（記録媒体又は第１の記録媒体）２２Ａに記録するようにした場合について述べたが、本発明はこれに限らず、まず撮影時に非圧縮のフレーム画像データ（映像データ）Ｄ１を対応するタイムコード（第１のタイムコード）を付加してハードディスク２２Ａに記録しておき、この後、編集時にデータ圧縮処理部２０から得られるデータ圧縮率の高い圧縮フレーム画像データ（第１の圧縮映像データ）Ｄ２を同一のタイムコード（第１のタイムコード）を付加してハードディスク２２Ａに記録するようにしても良い。この場合、フレーム画像データＤ１及び圧縮フレーム画像データＤ２を同時にハードディスク２２Ａに記録する場合よりも、回路規模を縮小して第１の記録手段を構成することができる。
【００５８】
また互いにデータ圧縮率が異なる圧縮フレーム画像データ（第１の圧縮映像データ）Ｄ２及び第２の圧縮映像データ（図示せず）を共に同一のタイムコード（第２のタイムコード）を付加してハードディスク（記録媒体又は第１の記録媒体）２２Ａに記録する場合についても、まず撮影時にデータ圧縮率の低い第２の圧縮映像データを対応するタイムコード（第２のタイムコード）を付加してハードディスク２２Ａに記録しておき、この後、編集時にデータ圧縮処理部２０から得られるデータ圧縮率の高い圧縮フレーム画像データ（第１の圧縮映像データ）Ｄ２を同一のタイムコード（第２のタイムコード）を付加してハードディスク２２Ａに記録するようにしても上述と同様の効果を得ることができる。
【００５９】
さらに上述の実施の形態においては、ハードディスク（第１の記録媒体）２２Ａから圧縮フレーム画像データ（第１の圧縮映像データ）Ｄ２を読み出す読出手段として、ビデオカメラ２内のＣＰＵ１５を適用した場合について述べたが、本発明はこれに限らず、読出手段としてはこの他種々の構成のものを広く適用することができる。
【００６０】
さらに上述の実施の形態においては、編集装置を、ビデオカメラ２及びパーソナルコンピュータ３からなるビデオカメラシステム１に適用し、当該ビデオカメラ２内に第１の記録手段及び読出手段を設けると共に、パーソナルコンピュータ３内に表示手段としの表示部３７、入力手段としての操作部３３及び第２の記録手段としてのＣＰＵ３２及びハードディスク装置３６を設けるようにした場合について述べたが、本発明はこれに限らず、これら全ての手段をビデオカメラ２内部に設けるようにしても良い。
【００６１】
さらに上述の実施の形態においては、パーソナルコンピュータ３内に設けられた第２の記録手段としてのＣＰＵ３２及びハードディスク装置３６は、特殊効果処理部（編集手段）３８において編集されたフレーム画像データ（映像データ）Ｄ１又は第２の圧縮映像データ（図示せず）に同期してタイムコード（第３のタイムコード）を付加した後、当該フレーム画像データ（映像データ）Ｄ１又は第２の圧縮映像データをタイムコード（第３のタイムコード）と共にハードディスク（第２の記録媒体）３６Ａに記録するようにしても良い。
【００６２】
この場合、例えば上述した図４（Ａ）〜（Ｃ）に示すように、表示部３７の表示画面上に表示された一連のフレーム画像群（シーンＳＣ１〜ＳＣ５）の中から編集リストとして所望する映像部分Ｐ１〜Ｐ３（すなわちシーンＳＣ１、ＳＣ３、ＳＣ４内における所望範囲に相当する映像部分）が指定された後、所望の順番に繋ぎ合わせると共に所望の特殊効果処理（映像部分Ｐ１内におけるテロップ表示Ｗ１、及び映像部分Ｐ２内のフェードアウトＷ２）を施してノンリニア編集を実行した場合、図７（Ａ）及び（Ｂ）に示すように、編集後は不要となる映像部分Ｘ１〜Ｘ８、編集前と編集後とでタイムコード（第１又は第２のタイムコード）が同一の映像部分Ｙ１〜Ｙ４、及び編集前と編集後とでタイムコード（第１又は第２のタイムコード）が異なる映像部分Ｚ１、Ｚ２に分類される。
【００６３】
ここで編集前と編集後とでタイムコード（第１又は第２のタイムコード）が異なる映像部分Ｚ１、Ｚ２に同期して新たなタイムコード（第３のタイムコード）を付加しておき、かつ編集前と編集後とでタイムコード（第１又は第２のタイムコード）が同一の映像部分Ｙ１〜Ｙ４はそのままタイムコード（第１又は第２のタイムコード）を用いることにより、編集後に新たな編集画像データＤ４をハードディスク（第２の記録媒体）３６Ａに記録しても、映像部分Ｚ１、Ｚ２以外の映像部分Ｘ１〜Ｘ８及びＹ１〜Ｙ４は元のタイムコード（第１又は第２のタイムコード）で指定すれば良いため、編集後の編集画像データＤ４を全てハードディスク（第２の記録媒体）３６Ａに記録しなくて済む分だけ、当該ハードディスク（第２の記録媒体）３６Ａの記録容量を効率良く使用することができる。
【００６４】
この結果、上述のようなノンリニア編集を何段階（世代）行っても、編集前と編集後とでタイムコード（第１又は第２のタイムコード）が異なる映像部分のみに段階（世代）ごとに新たなタイムコード（第３のタイムコード）を付加することにより、編集処理を行った段階（世代）ごとに応じたタイムコードを指定するだけで、当該編集前と編集後とでタイムコード（第１又は第２のタイムコード）が異なる映像部分を短時間で効率良くハードディスク（第２の記録媒体）３６Ａに記録し、読み出し又は消去することができる。
【００６５】
さらに上述の実施の形態においては、ハードディスク（第２の記録媒体）３６Ａからフレーム画像データ（映像データ）Ｄ１又は第２の圧縮映像データ（図示せず）に基づく各映像を読み出した後、入力手段としての操作部３３によって編集リストに基づく指定された順番で順次繋ぎ合わせるようにしてノンリニア編集する編集手段を、パーソナルコンピュータ３内のＣＰＵ３２及び特殊効果処理部３８から構成するようにした場合について述べたが、本発明はこれに限らず、編集手段としてこの他種々の構成のものを適用しても良い。
【００６６】
さらに上述の実施の形態においては、記録媒体又は第１の記録媒体及び第２の記録媒体としてハードディスク２２Ａ、３６Ａを適用した場合について述べたが、本発明はこれに限らず、ランダムアクセスが可能であり、かつ記録容量が実用上十分であれば、この他種々の記録媒体に広く適用しても良い。
【図面の簡単な説明】
【００６７】
【図１】本実施の形態によるビデオカメラシステムの構成を示すブロック図である。
【図２】ハードディスク上の記録状態の説明に供する略線図である。
【図３】編集処理手順の説明に供するフローチャートである。
【図４】各シーン内のおける所望の映像部分の指定の説明に供する略線図である。
【図５】他の実施の形態によるデータ圧縮処理の説明に供する略線図である。
【図６】他の実施の形態によるデータ圧縮処理の説明に供する略線図である。
【図７】他の実施の形態による編集処理の説明に供する略線図である。
【符号の説明】
【００６８】
１……ビデオカメラシステム、２……ビデオカメラ、３……パーソナルコンピュータ、１４、２３……信号処理部、１５、３２……ＣＰＵ、１６……第１のスイッチ回路、１７……第１のフレームメモリ、１８……第２のフレームメモリ、１９……第２のスイッチ回路、２０……データ圧縮処理部、２２、３６……ハードディスク装置、２２Ａ、３６Ａ……ハードディスク、２６、３３……操作部、３７……表示部、３８……特殊効果処理部、ＲＴ１……編集処理手順。
【図１】
2008252940.tif 000003
【図２】
2008252940.tif 000004
【図３】
2008252940.tif 000005
【図４】
2008252940.tif 000006
【図５】
2008252940.tif 000007
【図６】
2008252940.tif 000008
【図７】
2008252940.tif 000009